(57)【要約】【課題】  インバータ装置に接続されるモータがいずれの種別であってもそれを自動的に判別し、その種別に応じた最適な駆動制御をする。【解決手段】  この電気車制御装置は、インバータ主回路部１及びインバータ制御部２から成るインバータ装置によって電気車駆動用モータ３を駆動するもので、インバータ装置に接続されているモータ３の種別を判別するモータ種別判別手段６と、このモータ種別判別手段によって判別された現在インバータ装置に接続されているモータ種別に対応した制御パラメータを設定する制御パラメータ設定部７を備え、インバータ装置によってモータに所定の電圧を印加した際の電流値あるいはインバータ装置によって所定の電流を流した際の電圧値に基づいてモータ種別を判別する。【選択図】      図１
2005168241.tif 000002
【特許請求の範囲】
【請求項１】
可変電圧可変周波数制御方式のインバータ主回路部及び当該インバータ主回路部を所定の制御パラメータを用いて制御するインバータ制御部とから成るインバータ装置と、
前記インバータ装置に接続されているモータの種別を判別するモータ種別判別手段と、
前記モータ種別判別手段によって判別された現在インバータ装置に接続されているモータ種別に対応した制御パラメータを前記インバータ制御部に設定する制御パラメータ設定部とを備え、
前記モータ種別判別手段は、
前記インバータ装置によって所定の電圧を印加した際の電流値あるいは前記インバータ装置によって所定の電流を流した際の電圧値に基づいて評価指標を演算する評価指標演算手段と、
前記評価指標に基づき前記インバータ装置に接続されているモータの種別を決定するモータ種別決定手段とを有することを特徴とする電気車制御装置。
【請求項２】
前記モータ種別判別手段は、前記インバータ装置に接続され得るモータに対応した規範データを格納する手段と、前記インバータ装置によって所定の電圧を印加した際の電流値あるいは前記インバータ装置によって所定の電流を流した際の電圧値に基づき供試データを取得する供試データ取得手段とを有し、
前記モータ種別判別手段における評価指標演算手段は、前記規範データと供試データに基づいて評価指標を演算することを特徴とする請求項１に記載の電気車制御装置。
【請求項３】
前記規範データ及び供試データは、前記インバータ装置によって所定の電圧を印加した際の電流値あるいは前記インバータ装置によって所定の電流を流した際の電圧値に基づく時系列データであることを特徴とする請求項２に記載の電気車制御装置。
【請求項４】
前記評価指標は、前記規範データと取得された供試データとの偏差の２乗積分値であることを特徴とする請求項３に記載の電気車制御装置。
【請求項５】
前記モータ種別判別手段は、前記供試データを、時間軸・振幅軸を所定の係数で補正したデータを新たな供試データとする手段を有し、
前記モータ種別判別手段における評価指標演算手段は、新たな供試データに基づき評価指標を再演算し、前記係数を変化させた中で最小の評価指標となったものを最終的な評価指標とすることを特徴とする請求項３に記載の電気車制御装置。
【請求項６】
前記モータ種別判別手段は、前記インバータ装置によって所定の電圧を印加した際の電流値あるいは前記インバータ装置によって所定の電流を流した際の電圧値に基づいてモータパラメータを推定するモータパラメータ推定手段を有し、
前記モータ種別判別手段における評価指標演算手段は、当該推定されたモータパラメータに応じて前記評価指標を演算することを特徴とする請求項１又は２に記載の電気車制御装置。
【請求項７】
前記評価指標の演算に用いるモータパラメータには、抵抗分を含まないことを特徴とする請求項６に記載の電気車制御装置。
【請求項８】
前記モータ種別判別手段は、同一のモータに対するモータ種別の判別を複数回繰り返し、同一の結果であった場合に限り正しく判別できたと判断する手段を有することを特徴とする請求項１又は２記載の電気車制御装置。
【請求項９】
前記印加する電圧あるいは電流はステップ状であることを特徴とする請求項４に記載の電気車制御装置。
【請求項１０】
前記印加する電圧あるいは電流の位相を所定値に固定することを特徴とする請求項１又は２に記載の電気車制御装置。
【請求項１１】
前記モータ判別をモータが回転しないように拘束した状態で実施することを特徴とする請求項１又は２に記載の電気車制御装置。
【請求項１２】
前記インバータ装置によって所定の電圧を印加した際の電流値あるいは前記インバータ装置によって所定の電流を流した際の電圧値を取得する際、流れる電流をインバータ装置の過電流による保護レベルの５０％以上に設定することを特徴とする請求項１又は２に記載の電気車制御装置。
【請求項１３】
前記インバータ装置によって所定の電圧を印加した際の電流値あるいは前記インバータ装置によって所定の電流を流した際の電圧値を取得する際、インバータ装置のスイッチング素子のスイッチング周波数を低くすることを特徴とする請求項１又は２に記載の電気車制御装置。
【請求項１４】
前記モータ種別判別手段は、外気温度、モータ温度又はインバータ素子温度の温度情報を取得する温度検出手段と、当該温度情報に基づき、前記供試データ、規範データ又は評価指標を補正する補正手段とを有することを特徴とする請求項１又は２に記載の電気車制御装置。
【請求項１５】
可変電圧可変周波数制御方式のインバータ主回路部及び当該インバータ主回路部を所定の制御パラメータを用いて制御するインバータ制御部とから成るインバータ装置と、
前記インバータ装置に接続されているモータの種別を判別するモータ種別判別手段と、
前記モータ種別判別手段によって判別された現在インバータ装置に接続されているモータ種別に対応した制御パラメータを前記インバータ制御部に設定する制御パラメータ設定部とを備え、
前記モータ種別判別手段は、外気温度、モータ温度又はインバータ素子温度などの温度情報を取得する温度検出手段と、当該温度情報に基づき前記インバータ装置に接続されているモータの種別を決定するモータ種別決定手段とを有することを特徴とする電気車制御装置。
【請求項１６】
可変電圧可変周波数制御方式のインバータ主回路部及び当該インバータ主回路部を所定の制御パラメータを用いて制御するインバータ制御部とから成るインバータ装置と、
前記インバータ装置に接続されているモータの種別を判別するモータ種別判別手段と、
前記モータ種別判別手段によって判別された現在インバータ装置に接続されているモータ種別に対応した制御パラメータを前記インバータ制御部に設定する制御パラメータ設定部とを備え、
前記モータ種別判別手段を、前記インバータ装置の外部に配置したことを特徴とする電気車制御装置。
【請求項１７】
可変電圧可変周波数制御方式のインバータ主回路部及び当該インバータ主回路部を所定の制御パラメータを用いて制御するインバータ制御部とから成るインバータ装置と、
前記インバータ装置に接続されているモータの種別を判別するモータ種別判別手段と、
前記モータ種別判別手段によって判別された現在インバータ装置に接続されているモータ種別に対応した制御パラメータを前記インバータ制御部に設定する制御パラメータ設定部とを備え、
前記モータ種別判別手段を、複数の電気車制御装置間で共有したことを特徴とする電気車制御装置。
【発明の詳細な説明】
【技術分野】
【０００１】
本発明は、複数種のモータと組み合わせ得るインバータ回路を備えた電気車制御装置に関する。
【背景技術】
【０００２】
従来は、電気車用インバータ装置に接続される交流モータの種類は、電気車の種類ごとにある特定の一種に決められていた。その決められているモータと異なる別の種類のモータをインバータ装置に接続すると、モータの特性の差異により適正に制御することができずインバータ装置の動作中に過電流による保護動作が生じ、またモータの発生トルクが性能どおりに出力できず電気車の加速度、減速度が所定値どおりに得られないなどの障害が発生する場合がある。
【０００３】
このように、電気車の種類によって接続されるモータの種類は異なるので、電気車を保有する鉄道会社は、電気車の種類ごとにその電気車に対応するモータの予備を保有する必要があった。これにより、予備品が多くなったりモータの管理が煩雑になったりするなど、保守管理コストが増加する問題点があった。
【０００４】
このような問題点を改善するために、モータに電圧を印加して流れた電流値から接続されているモータ種別を判別し、判別されたモータ種別に対する制御パラメータを用いてモータを駆動する技術が提案されている。このように試験的にモータに電圧を印加し流れた電流値からモータ種別を特定する場合、モータ温度、ノイズ等の検出データのばらつき、出力電圧の精度など、試行条件が一致せず、モータ種別判別の信頼性を劣化させることが懸念され、モータ種別判別の信頼性向上が求められていた。
【発明の開示】
【発明が解決しようとする課題】
【０００５】
本発明は、このような従来の技術的課題に鑑みて、電気車のインバータ装置が複数種類のモータのいずれでもそのモータ種別を正確に判別し、判別したモータ種別に応じた最適な制御ができる電気車制御装置を提供することを目的とする。
【課題を解決するための手段】
【０００６】
請求項１の発明の電気車制御装置は、可変電圧可変周波数制御方式のインバータ主回路部及び当該インバータ主回路部を所定の制御パラメータを用いて制御するインバータ制御部とから成るインバータ装置と、前記インバータ装置に接続されているモータの種別を判別するモータ種別判別手段と、前記モータ種別判別手段によって判別された現在インバータ装置に接続されているモータ種別に対応した制御パラメータを前記インバータ制御部に設定する制御パラメータ設定部とを備え、前記モータ種別判別手段は、前記インバータ装置によって所定の電圧を印加した際の電流値あるいは前記インバータ装置によって所定の電流を流した際の電圧値に基づいて評価指標を演算する評価指標演算手段と、前記評価指標に基づき前記インバータ装置に接続されているモータの種別を決定するモータ種別決定手段とを有することを特徴とするものである。
【０００７】
請求項２の発明は、請求項１の電気車制御装置において、前記モータ種別判別手段は、前記インバータ装置に接続され得るモータに対応した規範データを格納する手段と、前記インバータ装置によって所定の電圧を印加した際の電流値あるいは前記インバータ装置によって所定の電流を流した際の電圧値に基づき供試データを取得する供試データ取得手段とを有し、前記モータ種別判別手段における評価指標演算手段は、前記規範データと供試データに基づいて評価指標を演算することを特徴とするものである。
【０００８】
請求項３の発明は、請求項２に記載の電気車制御装置において、前記規範データ及び供試データは、前記インバータ装置によって所定の電圧を印加した際の電流値あるいは前記インバータ装置によって所定の電流を流した際の電圧値に基づく時系列データであることを特徴とするものである。
【０００９】
請求項４の発明は、請求項３の電気車制御装置において、前記評価指標は、前記規範データと取得された供試データとの偏差の２乗積分値であることを特徴とするものである。
【００１０】
請求項５の発明は、請求項３の電気車制御装置において、前記モータ種別判別手段は、前記供試データを、時間軸・振幅軸を所定の係数で補正したデータを新たな供試データとする手段を有し、前記モータ種別判別手段における評価指標演算手段は、新たな供試データに基づき評価指標を再演算し、前記係数を変化させた中で最小の評価指標となったものを最終的な評価指標とすることを特徴とするものである。
【００１１】
請求項６の発明は、請求項１又は２の電気車制御装置において、前記モータ種別判別手段は、前記インバータ装置によって所定の電圧を印加した際の電流値あるいは前記インバータ装置によって所定の電流を流した際の電圧値に基づいてモータパラメータを推定するモータパラメータ推定手段を有し、前記モータ種別判別手段における評価指標演算手段は、当該推定されたモータパラメータに応じて前記評価指標を演算することを特徴とするものである。
【００１２】
請求項７の発明は、請求項６の電気車制御装置において、前記評価指標の演算に用いるモータパラメータには、抵抗分を含まないことを特徴とするものである。
【００１３】
請求項８の発明は、請求項１又は２の電気車制御装置において、前記モータ種別判別手段は、同一のモータに対するモータ種別の判別を複数回繰り返し、同一の結果であった場合に限り正しく判別できたと判断する手段を有することを特徴とするものである。
【００１４】
請求項９の発明は、請求項４の電気車制御装置において、前記印加する電圧あるいは電流はステップ状であることを特徴とするものである。
【００１５】
請求項１０の発明は、請求項１又は２の電気車制御装置において、前記印加する電圧あるいは電流の位相を所定値に固定することを特徴とするものである。
【００１６】
請求項１１の発明は、請求項１又は２の電気車制御装置において、前記モータ判別をモータが回転しないように拘束した状態で実施することを特徴とするものである。
【００１７】
請求項１２の発明は、請求項１又は２の電気車制御装置において、前記インバータ装置によって所定の電圧を印加した際の電流値あるいは前記インバータ装置によって所定の電流を流した際の電圧値を取得する際、流れる電流をインバータ装置の過電流による保護レベルの５０％以上に設定することを特徴とするものである。
【００１８】
請求項１３の発明は、請求項１又は２の電気車制御装置において、前記インバータ装置によって所定の電圧を印加した際の電流値あるいは前記インバータ装置によって所定の電流を流した際の電圧値を取得する際、インバータ装置のスイッチング素子のスイッチング周波数を低くすることを特徴とするものである。
【００１９】
請求項１４の発明は、請求項１又は２の電気車制御装置において、前記モータ種別判別手段は、外気温度、モータ温度又はインバータ素子温度の温度情報を取得する温度検出手段と、当該温度情報に基づき、前記供試データ、規範データ又は評価指標を補正する補正手段とを有することを特徴とするものである。
【００２０】
請求項１５の発明の電気車制御装置は、可変電圧可変周波数制御方式のインバータ主回路部及び当該インバータ主回路部を所定の制御パラメータを用いて制御するインバータ制御部とから成るインバータ装置と、前記インバータ装置に接続されているモータの種別を判別するモータ種別判別手段と、前記モータ種別判別手段によって判別された現在インバータ装置に接続されているモータ種別に対応した制御パラメータを前記インバータ制御部に設定する制御パラメータ設定部とを備え、前記モータ種別判別手段は、外気温度、モータ温度又はインバータ素子温度などの温度情報を取得する温度検出手段と、当該温度情報に基づき前記インバータ装置に接続されているモータの種別を決定するモータ種別決定手段とを有することを特徴とするものである。
【００２１】
請求項１６の発明の電気車制御装置は、可変電圧可変周波数制御方式のインバータ主回路部及び当該インバータ主回路部を所定の制御パラメータを用いて制御するインバータ制御部とから成るインバータ装置と、前記インバータ装置に接続されているモータの種別を判別するモータ種別判別手段と、前記モータ種別判別手段によって判別された現在インバータ装置に接続されているモータ種別に対応した制御パラメータを前記インバータ制御部に設定する制御パラメータ設定部とを備え、前記モータ種別判別手段を構成する一部の手段を、前記インバータ装置の外部に配置したことを特徴とするものである。
【００２２】
請求項１７の発明の電気車制御装置は、可変電圧可変周波数制御方式のインバータ主回路部及び当該インバータ主回路部を所定の制御パラメータを用いて制御するインバータ制御部とから成るインバータ装置と、前記インバータ装置に接続されているモータの種別を判別するモータ種別判別手段と、前記モータ種別判別手段によって判別された現在インバータ装置に接続されているモータ種別に対応した制御パラメータを前記インバータ制御部に設定する制御パラメータ設定部とを備え、前記モータ種別判別手段を構成する一部の手段を、複数の電気車制御装置間で共有したことを特徴とするものである。
【発明の効果】
【００２３】
本発明によれば、インバータに接続されているモータの種別を自動的に、かつ正確に判別してそれに対応した駆動制御ができる。その結果、電気車駆動用モータとして複数種類のモータを任意に組み合わせて使用することができ、電気車間でモータの互換性が向上し、電気車毎に異なった多種類のモータを保管管理する必要が少なくなり、保守管理面でコスト低減が図れる。
【発明を実施するための最良の形態】
【００２４】
以下、本発明の実施の形態を図に基づいて詳説する。
【００２５】
（第１の実施の形態）
図１は、本発明の第１の実施の形態の電気車制御装置のブロック図である。インバータ１は、図示していない直流電圧源から電源供給され、可変電圧可変周波数の電圧を出力し、接続されたモータ３を駆動制御する。インバータ制御部２は、モータ３の速度やトルクを制御するため、インバータ１から所定電圧が出力されるように制御するものである。なお、請求項に示すインバータ装置は、主回路としてのインバータ１と、それに対する制御部であるインバータ制御部２とが対応する。
【００２６】
ここでインバータ１に接続されるモータ３としては、適応可能な複数種のモータがある。誘導モータ（ＩＭ）であっても特性の異なるものが接続されたり、誘導モータに代わり永久磁石同期モータ（ＰＭ）や永久磁石リラクタンス同期モータ（ＰＲＭ）が接続されたりすることがある。
【００２７】
インバータ制御部２は、高速なトルク応答を実現するため、ＤＱ軸回転座標系にて制御を行うベクトル制御が一般に適用され、図では特に、モータ３のロータ位置や速度を検出せずに制御する位置／速度センサレスベクトル制御系が採用されている。
【００２８】
このインバータ制御部２の構成を説明する。モータ３に流れる電流Iu，Iwは、電流検出器４によって検出され、座標変換器１４によってＤＱ軸電流Id，Iqに変換される。電流指令設定部８では、運転指令や速度に応じたＤ軸電流指令IdRefとＱ軸電流指令IqRefを生成出力する。出力電圧演算部９では、Ｄ軸電流指令IdRefにＤ軸電流Idが一致し、Ｑ軸電流指令IqRefにＱ軸電流Iqが一致するようにＤＱ軸出力電圧指令Vd0，Vq0を演算して出力する。座標変換器１２では、ＤＱ軸出力電圧指令Vd*，Vq*を３相電圧指令Vu*，Vv*，Vw*に変換して出力する。ＰＷＭ制御部１３では、３相電圧指令に基づいてゲート指令を生成し、インバータ１を駆動制御する。
【００２９】
インバータ出力周波数演算部１７は、図２に詳しく示すように、誘起電圧演算部３１とインバータ出力周波数制御部３２とから構成される。誘起電圧演算部３１では、ＤＱ軸電圧指令Vd0，Vq0とＤＱ軸電流Id，IqとからＤ軸誘起電圧Edを演算出力する。インバータ出力周波数制御部３２では、入力であるＤ軸誘起電圧Edが零となるようにインバータ出力周波数ω１を制御出力する。このインバータ出力周波数演算部１７は、回転センサレスベクトル制御として公知な技術である。回転センサレスベクトル制御には他にも各種の方式があり、本実施の形態の構成に限定されるものではない。
【００３０】
モータ３の種別を判別し、判別されたモータに応じた最適なインバータ動作を供するために供試電圧印加部５、モータ種別判別部６及び制御パラメータ設定部７が備えられている。
【００３１】
供試電圧印加部５は供試位相設定部１８と供試電圧設定部１９から構成され、接続されたモータ３の種別を判別するためにモータ３に印加する電圧指令、電圧位相角を出力する。供試電圧設定部１９から出力されたＤＱ軸電圧指令VdT，VqTは、インバータ制御部２の切替器１０，１１によってインバータ１へのＤＱ軸電圧指令値Vd*，Vq*となる。ここで、VdT＝一定電圧Vd0［Ｖ］、VqT＝０［Ｖ］と設定する。また、供試位相設定部１８から出力された出力電圧位相角αは、切替器１５を介してインバータ出力電圧位相角θに設定される。ここに、出力電圧位相角α＝所定の一定値と設定する。なお、モータ３に電圧を印加する際、モータ３が動かないように機械的に拘束する。電気車には一般に機械式のブレーキ装置が備わっており、その機械式ブレーキをかけながら電圧を印加することで、容易に実現できる。
【００３２】
モータ種別判別部６は、供試データ取得部２０、評価指標演算部２１、モータ種別決定部２２、規範データ格納部２３から構成される。供試データ取得部２０では、所定の電圧をモータ３に印加した際に流れるＤ軸電流Idを取得し、所定のサンプリングによって取得される時系列な供試データD(k)として記憶する。ただし、kは時間軸のインデックスである。規範データ格納部２３には、インバータ１に接続され得るモータに関して、あらかじめ取得された時系列な規範データDr(k,m)が記憶されている。ここにkは時間軸のインデックス、mはモータ種別ごとに割り振られるＩＤナンバーである。
【００３３】
評価指標演算部２１では、供試データD(k)と規範データDr(k,m)に基づき、評価指標C(m)を算出する。C(m)は、あるモータ種（ID＝m）に対応する規範データDr(k,m)と供試データD(k)に基づき算出した評価指標であることを意味している。モータ種別決定部２２では、全モータ種に対して算出された評価指標C(m)(m＝1，…，Y)に基づき、現在接続されているモータ種別を決定する。
【００３４】
上記の供試データの取得から、モータ種別の決定までの処理のフローチャートを図３に示す。前述のように取得された時系列な供試データがD(k)である。供試データを取得した際のモータ温度と規範データを取得した際のモータ温度の差異の影響を低減するため、供試データを補正する。ここでは、係数A(i)によって供試データを次式に変換し、新たな供試データD'(k)を生成する。係数A(i)はモータ温度の差によって変動する抵抗変動率を表し、iは変動率に対応したインデックスである。
【数１】
2005168241.tif 000003
【００３５】
ただし（int）xは、xを整数化する処理とする。この変換により、振幅及び時間軸を係数Aにて補正している。
【００３６】
新たな供試データD'(k)と規範データDr(k,j)(ただし、j＝1,…,Y)に基づき、まず、あるモータ種ID＝jに対する評価指標を算出する。ある温度変動（インデックスi）を仮定したとき、係数A(i)に基づき評価指標Ctmp(j,i)を次式で演算する。
【数２】
2005168241.tif 000004
【００３７】
温度差を考慮した係数A(i)をi＝1,…,Zと変化させて上記の評価指標を演算する。実用上の係数A(i)、すなわち抵抗変動の範囲としては、０．７≦A≦１．３程度である。想定されるすべて範囲で係数A(i)を変化させ、得られた評価指標Ctmp(j,i)の中から、最小のものを選ぶことで、あるモータ種ID＝jに対する評価指標C(j)を決定できる。
【数３】
2005168241.tif 000005
【００３８】
上記の過程を、接続され得る全てのモータ種ID＝1,…,Yに対して繰り返し演算することで、接続され得る全モータに対する評価指標C(j)を演算できる。
【００３９】
モータ種別決定部２２では、評価指標C(j)の中で最小の評価指標を算出し、これに相当するモータ種別を現在接続されているモータ種別として決定する。なお、最小の評価指標からモータ種別を決定する際、その指標が所定値以内であるか判断し、所定値以内であればモータ種を決定し、所定値以外であれば判別失敗とすることもできる。また、上述の電圧印加による供試データの取得からモータ種の決定までを、複数回繰り返して試行し、全て一致した結果である場合に限りモータ種を特定し、それ以外は失敗とすることもできる。
【００４０】
制御パラメータ設定部７は、図４のように構成できる。制御パラメータ格納部２８には、接続され得る各モータに対する制御パラメータが記憶されている。ここで制御パラメータとは、モータパラメータ、制御ゲインなど、インバータ装置のソフトウェアで要求されるパラメータ群のことを指す。切替器２７では、モータ種別判別部６で判別された現在接続されているモータ種別に対応し、パラメータ格納部２８の中から適切な制御パラメータを選択する。制御パラメータ記憶部２９では、切替器２７により選択された制御パラメータを記憶する。インバータ制御部２は、通常動作を行う際、制御パラメータ記憶部２９から制御パラメータを参照する。
【００４１】
この制御パラメータ設定部７は、図５のようにも構成できる。この図５では、判別された接続モータ種別をモータ種別記憶部３０で記憶する。インバータ制御部２が動作する際は、モータ種別記憶部３０が記憶したモータに応じた制御パラメータを制御パラメータ格納部２８から切替器２７によって参照する。
【００４２】
上記図４における制御パラメータ記憶部２９や図５におけるモータ種別記憶部３０は、インバータ装置の電源が切れようとも、次にモータ種別を判別する際まで、その内容を保持することが必要である。
【００４３】
次に、上記構成の第１の実施の形態の電気車制御装置の作用について説明する。モータを保守点検等で取り外し、新たなモータを取り付けた場合など、インバータ１に接続されたモータの種別を判別する際、供試電圧印加部５がインバータ制御部２に作用し、Ｄ軸電圧指令Vd*＝Vd0、Ｑ軸電圧指令Vq*＝0を出力する。出力電圧位相θは、所定の固定値αであるため、モータ３に直流電圧を印加することになる。
【００４４】
モータ種別判別部６では、直流電圧の印加によって流れるモータ電流を取得する。本実施の形態では、モータ相電流をＤＱ軸座標系へと変換したＤＱ軸電流Id，Iqのうち、Ｄ軸電流Idを供試データ取得部２０にて記憶する。規範データ格納部２３には、同一な試験によってあらかじめ取得された規範データが、接続され得る全モータに関して記憶されている。評価指標演算部２１では、まず、あるj番目のモータ規範データと取得された供試データとの偏差２乗積分値を演算し、評価指標C(j)を生成する。この評価指標は、規範データと供試データ、すなわち、電流応答がどの程度一致するかを表す指標である。この評価指標を、接続され得る全モータに対する規範データに対して演算し、演算された全評価指標C(i)の中から最も評価指標が小さい値となったものを抽出し、現に接続されているモータであると決定する。
【００４５】
制御パラメータ設定部７では、判別されたモータに対応したモータパラメータや制御ゲインなどの制御パラメータを選択する。この選択された制御パラメータを用いて、インバータ制御部２は通常のインバータ制御を行う。
【００４６】
以上により、モータ判別を行う場合に試験用の電圧を印加し、それによって流れた電流値とあらかじめ取得された規範電流波形とを比較し、もっとも一致したモータを特定することで現在接続されているモータを判別することができる。また、それに対応した制御パラメータをインバータ制御部２が参照することで、現に接続されているモータに最適な制御系を実現することができる。
【００４７】
また本実施の形態では、評価指標を電流応答と規範電流応答とを比較した偏差の２乗積分値としたが、これにより、検出した電流応答に重畳するノイズの影響を低減することが可能で、モータ種別判別の信頼性を向上することが可能である。
【００４８】
また本実施の形態では、試験のための供試電圧を印加する際、直流電圧を印加するようにしているが、これにより、モータ温度差により抵抗値が変動していた場合の影響を低減することができる。この理由を以下に説明する。
【００４９】
誘導モータのダイナミクスは、次式で記述できる。
【数４】
2005168241.tif 000006
【００５０】
ここで、１次インダクタンスL1＝２次インダクタンスL2＝L、１次抵抗R1＝２次抵抗R2＝Rと仮定し、ステップ状の直流電圧を印加した際に流れる電流I1の応答は次式で近似できる。
【数５】
2005168241.tif 000007
【００５１】
ここで、数５式を規範データ取得時のダイナミクスとする。モータ温度が変化したことを想定すると、規範データを取得時のモータ抵抗値をR、供試データ取得時の抵抗値をR'として書き直せばよい。
【数６】
2005168241.tif 000008
【００５２】
２つの抵抗値には次式の関係があるとみなせば、数６式は数８式のように変形できる。
【数７】
2005168241.tif 000009
【数８】
2005168241.tif 000010
【００５３】
この数８式は、規範データの時間軸をＡ倍、振幅軸を１／Ａ倍したものは供試データと一致することを表している。すなわち、所定の抵抗値の誘導モータに所定の直流電圧を印加した際に流れる電流の応答に対し、抵抗値がＡ倍に変動した場合の電流応答は、振幅が１／Ａ倍、時間軸がＡ倍になることと等価である。当然、供試データからみた規範データの関係は、逆の係数になる。よって、規範データを取得した際のモータ温度と、供試データを取得した際のモータ温度との差により生じる応答の差異の影響を低減するため、係数倍Ａにおいて供試データの振幅をＡ倍、時間軸を１／Ａ倍した新たな供試データによって評価指標D'(k)を算出し、係数Ａを想定される抵抗変動の範囲で繰り返し演算し、その中で最小の評価指標を抽出することで、温度変動の影響を低減したモータ判別が可能になる。
【００５４】
モータの種別判別は、必要に応じて随時行われる必要があり、モータの周囲温度は一意に管理できない。モータの抵抗値は温度によって変動するが、このモータインピーダンスの変化によって電流応答あるいは電圧応答には差異が生じる。しかしながら、本実施の形態のように、ステップ状の直流電圧を印加し、また供試データを補正することで、温度変動の影響を低減したモータ判別が可能になり、モータ判別の信頼性が向上する。
【００５５】
またさらに、本実施の形態では試験のための供試電圧を印加する出力電圧位相角を所定値αに固定している。インバータの出力電圧位相角がモータ判別の試行毎に異なると、インバータを構成するスイッチング素子や巻線に流れる電流値が変化する。これでは、インバータでもモータでも、位相角に対して完全に均一なインピーダンスは持ち得ない。よって、出力電圧位相角を固定し試行条件を同一にすることで、位相角に依存した誤差を低減し、モータ判別の信頼性が向上できる。
【００５６】
加えて、モータ種別判別のためにモータに所定の電圧を印加する際、モータ３のロータが回転しないように機械的に拘束した状態で試験を行うことで、同一の試験条件を実現できる。モータ３のロータに一切の外力が作用しない状態では、直流電圧の印加によって微小なトルクが発生して微小な回転をする場合やあるいはあらかじめ微小な回転状態が想定できる。ロータが回転している場合、モータのインピーダンスが変化するため、同一の電圧印加であっても電流応答には大きな差異が生じ得る。よって、常に同じ回転数、ここでは、停止した条件にてモータ種別の判別を行うことで、モータ種別の判別の信頼性が向上する。
【００５７】
さらに、本実施の形態では、図３のフローチャートのように供試電圧の印加からモータ種別の判別までを複数回試行するようにした。これは次の理由による。試行毎に、ノイズ等の影響で完全に同一な供試データ、すなわち電流応答は望めない。このため、一度きりの試行によってモータ判別を行うならばらつきによって誤判別する可能性があるからである。そこで上記のように判別を複数回繰り返し、複数回の判別結果を比較の上で最終的な判別を行うことで、モータ種別の判別の信頼性を向上することができる。
【００５８】
さらにまた、本実施の形態では、規範データを時系列なデータとして記憶している。接続され得るモータ種別が後になって増加した場合、それまでの評価指標では判別の信頼性が得られなくなる可能性がある。そこで時系列データを格納しておくことで、判別の信頼性を確保できる新たな評価指標を生成することが容易である。よって、将来的に、インバータ装置に接続され得るモータ種が増加する際、モータ種別の信頼性の劣化を抑制することが可能である。
【００５９】
またさらに、本実施の形態では、試験のための供試電圧を印加して流れる電流の大きさを過電流レベルの５０％程度としている。一般に、モータのインピーダンスは回転数が小さい場合には非常に小さくなる。これは、微小電圧で大きな電流が流れることを表している。しかしながら、インバータ１のスイッチング素子には電圧降下があり、またデッドタイムによってインバータ１の出力電圧誤差が生じることは周知の事実である。よって、モータが停止した状態で直流を印加する場合、これらの出力電圧誤差の影響が大きく電流応答に現れ、モータの誤判別を引き起こす可能性がある。これに対し、出力電圧誤差の影響は、出力電圧の大きさが大きくなるとその影響度を低減できる。このことを踏まえ、本実施の形態では、インバータ装置が過電流にならず、発熱の点などで問題にならない範囲で大きな電流を流し、インバータの出力電圧、すなわち印加する直流電圧を大きくすることで、出力電圧誤差の影響を低減し、信頼性の高い判別を可能にしているのである。
【００６０】
加えて、上述したようにデッドタイムが判別の信頼性を低減する恐れがある。デッドタイムによる出力電圧誤差の影響は、スイッチング周波数が低いほど低減できる。そこで本実施の形態では、モータ種別判別のための供試電圧あるいは供試電流の印加の際には、インバータ装置のスイッチング周波数を通常時より低く設定することにより、出力電圧誤差の影響を低減し、信頼性の高い判別を可能にしているのである。
【００６１】
さらに加えて、本実施の形態では、電圧を印加した際に流れる電流に基づいて評価指標を演算しているが、電圧と電流の両方からインピーダンスを算出し、これを評価指標に用いても同様な作用効果を得ることができる。
【００６２】
図６に、本実施の形態の構成によるシミュレーション結果を示してある。図６（Ａ）、図６（Ｂ）ともにインバータ制御部２及びインバータ１によって、供試モータ３である誘導モータに対し直流電圧を印加した場合のＵ相の電流波形である。接続され得るモータは２種あると仮定（第１種と第２種）し、供試モータは第１種のものとした。両図とも、供試データは同一であり、規範データが異なる。図６（Ａ）の規範データは第１種のモータの電流応答であり、図６（Ｂ）の規範データは、第２種のモータの電流応答である。評価指標である電流偏差の２乗積分は図６（Ａ）の場合は「６３」、図６（Ｂ）の場合では「９４１７」である。この場合、評価指標の最も小さい第１種のモータであると判別する。これにより、正しいモータ種別が選択できることが確認できた。なお、規範データ、供試データとも第１種の誘導モータに対するものである図６（Ａ）についても、規範データと供試データで差異があるのは、モータパラメータの製造ばらつき、温度差による抵抗値のばらつき、インバータの出力電圧誤差、検出ノイズなどを考慮しているためである。また、第１の実施の形態では規範データ及び供試データとして、ＤＱ軸座標系上のＤ軸電流を用いているが、同シミュレーション結果のように、モータの相電流を用いても同様な作用効果が得られることが分かる。
【００６３】
（第２の実施の形態）
図７を用いて、本発明の第２の実施の形態の電気車制御装置について説明する。第２の実施の形態は、図１に示す第１の実施の形態とはモータの種別判別に温度情報を用いる点が異なる。なお、第１の実施の形態と共通する要素については共通の符号を用いて説明する。
【００６４】
電気車の編成のいずこかに設置された温度センサ２４の情報は、車内ＬＡＮ２５によって伝送される。モータ種別判別部６の評価指標演算部２１では、この温度情報を取り込み評価指標演算に用いる。第１の実施の形態では、供試データD(K)から係数Ａを乗じて新たな供試データD'(k)をつくりだしているが、この係数Ａは規範データと供試データとを取得した際のモータ温度の差異の全範囲を考慮したものであった。これに対して、本実施の形態によれば、取り込んだ温度情報によって係数Ａの範囲を限定することができる。例えば、規範データを取得した際の温度をT0［Ｋ］、温度センサ２４によって得られた温度をT1［Ｋ］、モータ抵抗値の温度係数をαとすれば、係数A、すなわち温度変動率は次式で演算できる。
【数９】
2005168241.tif 000011
【００６５】
そこで、これを基準にして製造ばらつき程度の範囲を設定すればよい。
【００６６】
前述のように、モータ温度によって抵抗値は変動する。この抵抗値変動は電流応答の差異として現れるため、モータ種の判別の信頼性を低下させる要因となる。第１の実施の形態でも、温度変動に依存した抵抗値変動に、抵抗変動率に応じた係数Aを考慮し、供試データの変換を行っていたが、この場合、可能性のある温度範囲について係数Aを振って調査することが必要であった。このとき、元来、特性が異なる異種のモータの電流応答の近似度を広い範囲で係数Aを振って調査することで、同一モータと認識する可能性がある。本実施の形態では、温度センサからの温度情報に基づき係数Aを固定ないしは調査範囲を限定することでモータの誤判別の可能性を低減し、モータ判別の信頼性を向上させることができる。
【００６７】
電気車の編成内には、車内ＬＡＮを含めた車両情報制御装置があり、編成内の各種機器の状態のモニタや指令など行っている。空調機器などに具備された温度情報を、車両情報制御装置を介してインバータ装置が取り込むことで実現できる。
【００６８】
なお、温度センサは、本実施の形態のように車内ＬＡＮ等を介さず、インバータ装置自身に備えられるものでも、同様な作用効果がある。また、温度センサが電気車編成内に備わるものでなく、地上側などに備わるものであり、しかるべき通信手段によって車内に取り込まれるものであっても同様である。
【００６９】
（第３の実施の形態）
次に、本発明の第３の実施の形態の電気車制御装置について、図８を用いて説明する。本実施の形態は、第２の実施の形態に対してモータ種別判別部９の機能構成が異なる。そのその他の構成要素について、第１、第２の実施の形態と共通するものには共通の符号を用いて説明する。
【００７０】
モータパラメータ推定部２６では、供試電圧の印加によって流れた電流と供試電圧に基づきモータのパラメータを推定する。電圧と電流からモータパラメータを推定する方式に関しては、特許第３０２９７３４号公報に記載された方式を使用する。しかしながら、谷も数々の方式があり、特に限定されるものではない。誘導モータに対するモータパラメータの推定では、１次抵抗R1、２次抵抗R2などの抵抗値、１次漏れインダクタンスl1、２次漏れインダクタンスl2、相互インダクタンスMなどのインダクタンスを推定する。同様に、規範データ格納部２３には、接続され得る全モータの各モータパラメータ、１次抵抗、２次抵抗、１次漏れインダクタンス、２次漏れインダクタンス、相互インダクタンスが規範データとして格納されている。
【００７１】
評価指標演算部２１では、例えば、次のように評価指標Cを演算する。取り込んだ温度情報に基づき、１次抵抗推定値R1hと２次抵抗推定値R2hを、規範データを取得した際の温度の抵抗値に換算する。換算後の１次抵抗推定値R1h'と２次抵抗推定値R2h'とを用いて、以下のような指標を演算する。
【数１０】
2005168241.tif 000012
【００７２】
本実施の形態の場合、第２の実施の形態とは評価指標が異なるだけであり、モータ種別決定部２２では同様な処理を施すことで、接続されているモータ種別を判別できる。また本実施の形態の場合、第１の実施の形態、第２実施の形態と比べ、規範データがモータパラメータと記憶すべき点数が非常に少ない。よって、記憶容量に小さい制御装置においても実現可能である。
【００７３】
なお、本実施の形態において、温度センサ２４の情報に基づき推定された抵抗値を補正する部分の作用効果は、第２実施の形態と同様である。
【００７４】
また、前記の評価指標演算において、係数A1とA2を少なくとも零として、指標に抵抗値が影響しないように設定することができる。これは、モータ種別判別に抵抗を考慮せず、インダクタンスの差異のみで行うことと等価である。このようにしてモータ温度によって変動する可能性がある抵抗を用いずにインダクタンスにて判別することにより、モータ判別の信頼性が向上する。またこのときには温度情報を用いることが不要であり、システムの複雑化をも回避できる。当然ならが、この場合、規範データとして抵抗分は不要であり、記憶容量の低減も期待できる。
【００７５】
（第４の実施の形態）
次に、図９を用いて本発明の第４の実施の形態の電気車制御装置について説明する。第１の実施の形態では、接続されたモータの種別を判別するために所定の電圧を印加した際に流れる電流値を供試データとして取得し、それに基づき評価指標を演算したのに対し、本実施の形態では、接続されたモータの種別を判別するために所定の電流を流した際に流れる電圧値を供試データとすることに差異がある。図９において、図１に示した第１の実施の形態と共通する要素には共通する符号を付して示してある。
【００７６】
第１の実施の形態の供試電圧印加部５に代わり、供試電流印加部３４がある。供試電流印加部３４の中には供試電流設定部３３があり、モータを判別するために流すＤＱ軸電流の指令値IdT，IqTを設定する。ここでは、IdT＝β［Ａ］，IqT＝０［Ａ］とする。この試験モードにおいて、切替器１０，１１ではIdT，IqTがその出力となるように切り替わる。出力電圧演算部９では、ＤＱ軸電流指令IdRef，IqRef、すなわちIdT，IqTとフィードバックされたＤＱ軸電流Id，Iqとが一致するように出力電圧指令Vd0，Vq0を制御する。出力電圧演算部９は図１０のように構成される。減算器３５によって、Ｄ軸電流指令IdRefからＤ軸電流Idが減算され、ＰＩ制御器３７へ入力される。ＰＩ制御器３７は周知の技術であり、その入力が０になるようにＤ軸出力電圧指令Vd0を調整する。
【００７７】
図９の供試データ取得部２０は、第１の実施の形態においてモータに流れるＤ軸電流を取得し供試データとしていたが、本実施の形態では、モータに印加されるＤ軸電圧指令Vd*を取得し供試データとする。
【００７８】
以上により、インバータ１に接続されているモータの種別を判別するため、出力電圧演算部９の作用により、供試電流設定部３３にて指令した電流指令に一致した電流が流れる。このとき、モータ３に印加された電圧指令に基づき評価指標を演算する。第１の実施の形態では電圧を与えたときの電流値で評価したのを、本実施の形態では電流を与えたときの電圧値で評価する。電圧Vと電流Iとは、モータインピーダンスZによって、V＝Z・Iという不可分な関係があり、第１の実施の形態と同様に、接続されたモータの種別判別が可能である。
【００７９】
特に、本実施の形態によれば、電流が所定値になるように電圧をモータインピーダンスに応じて制御調整する。モータ種別の判別は、一般にモータの回転を停止した状態で行われるが、このときの出力電圧はインバータの最大出力電圧に対し十分に小さく、余裕がある。一方、出力電圧誤差の影響を低減し判別の信頼性を向上するためには、大きな電流を流すことが望ましい。しかしながら、第１の実施の形態では、規範データの取得においてインバータの過電流レベルに近い電流を流すように印加電圧を設定しても、実際の供試モータでは特性の差異によって過電流となり、判別不能になることが起こり得る。これに対して本実施の形態のように電流値を所定値に制御すれば、過電流にならずに大きな電流を流すことが可能である。よって、第１の実施の形態よりも出力電圧誤差の影響を低減し、モータ判別の信頼性を向上させることができる。
【００８０】
（第５の実施の形態、第６の実施の形態）
図１１は、本発明の第５の実施の形態のブロック図である。第１の電気車編成４３は、図１に示す電気車制御装置３９，４０の２台を備えている。また、第２の電気車編成４４においても同様で、電気車制御装置４１，４２を備えている。各電気車編成内には車内ＬＡＮ４６を備え、電気車編成内の電気車制御装置間でデータの授受を行える。また、電気車編成間もしかるべき通信手段を介して車外ＬＡＮ４５に接続され、データの授受を行える。車外ＬＡＮ４５には、モータ種別判別部４７を備える。このモータ種別判別部４７は、第１の実施の形態に示すモータ種別判別部６と同様な機能を有している。本明細書では、モータ種別判別部を含め電気車制御装置としているが、本実施の形態ではモータ種別判別部を複数の電気車制御装置間で共有するため、便宜的に電気車制御装置と分離して記載している。
【００８１】
また、図１２は第６の実施の形態を示すものである。図１１の第５の実施の形態と比べ，モータ種別判別部４７は電気車編成内に備えられている。
【００８２】
以上の図１１、図１２のような構成によっても、以下の作用、効果を得る。インバータ装置（第１の実施の形態で示すインバータ１とインバータ制御部２）では、インバータ制御部２を実現するマイコン性能や記憶容量が制約されていて、高度な評価指標演算や詳細で情報量の大きい規範データを記憶することは困難である。インバータ装置でこれら機器の高性能化を図ると、コストアップや装置の大型化になる。よって、このモータ判別処理を別途かつ複数装置間で共有して集中的に行える高度な処理装置をインバータ装置の外部に備えることは、インバータ装置の小形化、低コスト化、モータ種別判別の信頼性の向上などの効果が期待できる。
【００８３】
なお、近年の電気車編成には、運転台や自動列車制御装置（ＡＴＯ）からの運転指令を、各インバータ装置に指令する車両情報制御装置が備えられる場合があり、これらの装置にモータ種別判別機能を合わせ持つことで実現が可能である。
【図面の簡単な説明】
【００８４】
【図１】本発明の第１の実施の形態のブロック図。
【図２】上記実施の形態におけるインバータ出力周波数演算部のブロック図。
【図３】上記実施の形態によるモータ種別判別のフローチャート。
【図４】上記実施の形態における制御パラメータ設定部のブロック図。
【図５】上記実施の形態における制御パラメータ設定部の他の構成例のブロック図。
【図６】上記実施の形態のシミュレーション結果のグラフ。
【図７】本発明の第２の実施の形態のブロック図。
【図８】本発明の第３の実施の形態のブロック図。
【図９】本発明の第４の実施の形態のブロック図。
【図１０】上記実施の形態における出力電圧演算部のブロック図。
【図１１】本発明の第５の実施の形態のブロック図。
【図１２】本発明の第６の実施の形態のブロック図。
【符号の説明】
【００８５】
１…インバータ
２…インバータ制御部
３…モータ
４…電流検出器
５…供試電圧印加部
６…モータ種別判別部
７…制御パラメータ設定部
８…電流指令設定部
９…出力電圧演算部
１０…切替器
１１…切替器
１２…座標変換器
１３…ＰＷＭ制御部
１４…座標変換器
１５…切替器
１６…積分器
１７…インバータ出力周波数演算部
１８…供試位相設定部
１９…供試電圧設定部
２０…供試データ取得部
２１…評価指標演算部
２２…モータ種別決定部
２３…規範データ格納部
２４…温度センサ
２５…車内ＬＡＮ
２６…モータパラメータ推定部
２７…切替器
２８…制御パラメータ格納部
２９…制御パラメータ記憶部
３０…モータ種別記憶部
３１…誘起電圧演算部
３２…インバータ出力周波数制御部
３３…供試電流設定部
３４…供試電流印加部
３５…減算器
３６…減算器
３７…ＰＩ制御器
３８…ＰＩ制御器
３９…電気車制御装置
４０〜４２…電気車制御装置
４３，４４…電気車編成
４５…車外ＬＡＮ
４６…車内ＬＡＮ
４７…モータ種別判別部
【図１】
2005168241.tif 000013
【図２】
2005168241.tif 000014
【図３】
2005168241.tif 000015
【図４】
2005168241.tif 000016
【図５】
2005168241.tif 000017
【図６】
2005168241.tif 000018
【図７】
2005168241.tif 000019
【図８】
2005168241.tif 000020
【図９】
2005168241.tif 000021
【図１０】
2005168241.tif 000022
【図１１】
2005168241.tif 000023
【図１２】
2005168241.tif 000024